(57)【要約】      （修正有）【課題】複数のユーザが単一の映像表示装置を使用する場合に使い勝手のよい映像表示装置を提供する。【解決手段】コンテンツ受信部は、複数の映像コンテンツを同時に受信可能であり、コンテンツ表示部は、所定の条件が成立すると、表示領域を複数に分割し、第一の配信元から配信された映像コンテンツを第一表示領域で表示すると共に第二の配信元から配信された映像コンテンツを第二表示領域で表示し、前記表示領域が分割されている際、特定の端末装置からのコマンドが受信されると当該コマンドを前記第一表示領域の表示態様に反映する一方、他の端末装置からのコマンドが受信されると当該コマンドを前記第二表示領域の表示態様に反映し、前記第一の配信元から配信された映像コンテンツの表示を指示する前記他の端末装置からのコマンドが受信されると、前記表示領域の分割を終了する。【選択図】図１１
2016167850.tif 000002
【特許請求の範囲】
【請求項１】
映像コンテンツを受信するコンテンツ受信部と、
前記コンテンツ受信部により受信された映像コンテンツを表示するコンテンツ表示部と
、
端末装置により送信されたコマンドを受信するコマンド受信部と、を備えた映像表示装
置であって、
前記コンテンツ受信部は、
複数の映像コンテンツを同時に受信可能であり、
前記コンテンツ表示部は、
所定の条件が成立すると、表示領域を複数に分割し、第一の配信元から配信された映像
コンテンツを第一表示領域で表示すると共に第二の配信元から配信された映像コンテンツ
を第二表示領域で表示し、
前記表示領域が分割されている際、特定の端末装置からのコマンドが受信されると当該
コマンドを前記第一表示領域の表示態様に反映する一方、他の端末装置からのコマンドが
受信されると当該コマンドを前記第二表示領域の表示態様に反映し、
前記第一の配信元から配信された映像コンテンツの表示を指示する前記他の端末装置か
らのコマンドが受信されると、前記表示領域の分割を終了すること、を特徴とする映像表
示装置。
【請求項２】
前記所定の条件は、前記特定の端末装置からのコマンドを受信したことに基づいて第一
の配信元から配信された映像コンテンツが表示されている際に前記映像コンテンツの配信
元の変更を指示する前記他の端末装置からのコマンドを受信したことにより、成立するこ
と、を特徴とする請求項１に記載の映像表示装置。
【請求項３】
映像コンテンツを受信するコンテンツ受信部と、
前記コンテンツ受信部により受信された映像コンテンツを表示するコンテンツ表示部と
、
端末装置により送信されたコマンドを受信するコマンド受信部と、を備えた映像表示装
置であって、
前記コンテンツ受信部は、
複数の映像コンテンツを同時に受信可能であり、
前記コンテンツ表示部は、
所定の条件が成立すると、表示領域を複数に分割し、第一の配信元から配信された映像
コンテンツを第一表示領域で表示すると共に第二の配信元から配信された映像コンテンツ
を第二表示領域で表示し、
前記表示領域が分割されている際、特定の端末装置からのコマンドが受信されると当該
コマンドを前記第一表示領域の表示態様に反映する一方、他の端末装置からのコマンドが
受信されると当該コマンドを前記第二表示領域の表示態様に反映し、
前記特定の端末装置または前記他の端末装置から緊急情報を含むコマンドを受信すると
、前記表示領域の分割を終了すること、を特徴とする映像表示装置。
【請求項４】
前記コマンドは、前記映像コンテンツの配信元の変更を指示するものであることを特徴
とする請求項１〜３の何れかに記載の映像表示装置。
【発明の詳細な説明】
【技術分野】
【０００１】
本発明は、映像表示装置に関するものである。
【背景技術】
【０００２】
本技術分野の背景技術として、特開２００８−１１０５０号（特許文献１）がある。こ
の公報には、課題として「特別なリモコン装置を用いなくても、複数の利用者が表示装置
の表示画面を複数に分割等して視聴することができる表示装置、リモコン装置、プログラ
ム及び表示方法を提供する。」と記載されている。
【０００３】
この課題の解決手段として、「リモコン信号を受信するリモコン信号受信手段と、受信
したリモコン信号の発信元を判別するリモコン信号判別手段と、判別した発信元に基づい
て、受信したリモコン信号による操作が有効であるか否かを識別するリモコン信号識別手
段と、有効な操作である場合に、受信したリモコン信号に応じて表示画面を変化させる表
示手段とを備える。」と記載されている。
【先行技術文献】
【特許文献】
【０００４】
【特許文献１】特開２００８−１１０５０号
【発明の概要】
【発明が解決しようとする課題】
【０００５】
前記特許文献１には、発明の効果として「特別なリモコン装置を用いなくても、複数の
利用者が表示装置の表示画面を複数に分割等して視聴することができる。」と記載されて
おり、複数のユーザが一つの映像表示装置を使用する場合に使い勝手がよい。しかし、映
像を視聴していた一方のユーザが表示装置から離れた際に、例えば、他方のユーザのリモ
コン装置では表示装置の画面分割を終了することができないなど、使い勝手が十分ではな
い部分もあった。
【０００６】
そこで、本発明の目的は、使い勝手のよい映像表示装置を提供することである。
【課題を解決するための手段】
【０００７】
上記課題を解決するために、例えば特許請求の範囲に記載の構成を採用する。
【０００８】
本願は上記課題を解決する手段を複数含んでいるが、その一例を挙げるならば、映像コ
ンテンツを受信するコンテンツ受信部と、前記コンテンツ受信部により受信された映像コ
ンテンツを表示するコンテンツ表示部と、端末装置により送信されたコマンドを受信する
コマンド受信部と、を備えた映像表示装置であって、前記コンテンツ受信部は、複数の映
像コンテンツを同時に受信可能であり、前記コンテンツ表示部は、所定の条件が成立する
と、表示領域を複数に分割し、第一の配信元から配信された映像コンテンツを第一表示領
域で表示すると共に第二の配信元から配信された映像コンテンツを第二表示領域で表示し
、前記表示領域が分割されている際、特定の端末装置からのコマンドが受信されると当該
コマンドを前記第一表示領域の表示態様に反映する一方、他の端末装置からのコマンドが
受信されると当該コマンドを前記第二表示領域の表示態様に反映し、前記第一の配信元か
ら配信された映像コンテンツの表示を指示する前記他の端末装置からのコマンドが受信さ
れると、前記表示領域の分割を終了すること、を特徴とする映像表示装置。
【発明の効果】
【０００９】
本発明によれば、使い勝手の良い映像表示装置を提供することができる。
【００１０】
上記した以外の課題、構成及び効果は、以下の実施形態の説明により明らかにされる。
【図面の簡単な説明】
【００１１】
【図１】第１の実施例の映像表示システムの構成を示す図。
【図２】第１の実施例の端末装置の構成を示すブロック図。
【図３】第１の実施例の映像表示装置の構成を示すブロック図。
【図４】第１の実施例の端末装置の処理を示すフローチャート。
【図５（ａ）】第１の実施例の端末装置の画面の表示例。
【図５（ｂ）】第１の実施例の端末装置の画面の表示例。
【図５（ｃ）】第１の実施例の端末装置の画面の表示例。
【図５（ｄ）】第１の実施例の端末装置の画面の表示例。
【図６】第１の実施例の映像表示装置の処理を示すフローチャート。
【図７】第２の実施例の映像表示装置の処理を示すフローチャート。
【図８】第３の実施例の映像表示装置の処理を示すフローチャート。
【図９】第４の実施例の映像表示装置の処理を示すフローチャート。
【図１０】第５の実施例の映像表示装置の処理を示すフローチャート。
【図１１】第６の実施例の映像表示装置の処理を示すフローチャート。
【図１２】第４の実施例の端末装置の画面の表示例。
【図１３】第７の実施例の端末装置の処理を示すフローチャート。
【図１４】第７の実施例の映像表示装置の処理を示すフローチャート。
【発明を実施するための形態】
【００１２】
以下、図面を用いて実施例を説明する。
【実施例１】
【００１３】
図１は、本発明の第１の実施例の映像表示システムの構成を示す図である。本実施例の
映像表示システムは、複数の端末装置１と映像表示装置３とを含む。
【００１４】
端末装置１は無線通信機能を有しており、基地局４と各種情報の送受信を行うことがで
きる。また、端末装置１は、離れた場所の映像表示装置３の制御（以降、「リモート制御
」）を行う機能を有しており、ユーザは、端末装置１を用いて、映像表示装置３のチャン
ネルや音量などを操作することができる。
【００１５】
映像表示装置３は映像コンテンツを受信して表示する装置であり、例えば、放送局５か
ら無線あるいは有線でテレビジョン信号を受信して、当該テレビジョン信号に基づく映像
コンテンツを表示することができる。また、映像表示装置３は、ユーザ等によって指定さ
れたＵＲＬ（Ｕｎｉｆｏｒｍ  Ｒｅｓｏｕｒｃｅ  Ｌｏｃａｔｏｒ）のインターネットコ
ンテンツなど、無線ルータ６を介してネットワーク７から受信した映像コンテンツを表示
することもできる。このように、映像表示装置３は、特定の放送局５やＵＲＬなど、ユー
ザ等によって指定された配信元から配信された映像コンテンツを受信し、表示することが
できる。なお、映像表示装置３は１台に限るものではなく、複数台存在してもよい。
【００１６】
基地局４は通信回線と端末装置１とを中継する装置であり、端末装置１と各種情報の送
受信を行うことができる。例えば、基地局４は映像表示装置３を視聴するためのテレビの
番組表を端末装置１に送ることもできる。
【００１７】
放送局５は、テレビビジョン信号を出力する装置である。
【００１８】
無線ルータ６は、Ｗｉ−Ｆｉ（Ｗｉｒｅｌｅｓｓ  Ｆｉｄｅｌｉｔｙ）などの無線ＬＡ
Ｎ（Ｌｏｃａｌ  Ａｒｅａ  Ｎｅｔｗｏｒｋ）機能を備え、通信回線を経由してネットワ
ーク７に接続できる。映像表示装置３は、無線ルータ６に接続することによりインターネ
ット網から映像コンテンツや各種情報を入手することができる。尚、端末装置１にも、無
線ＬＡＮ機能を備えさせ、インターネット網から各種情報を入手することができるように
しても良い。また、無線ルータ６と映像表示装置３を無線で接続した例を示したが、これ
らを有線で接続してもよい。
【００１９】
図２は、図１の端末装置１の構成を示すブロック図である。
【００２０】
端末装置１の各部の制御は制御部２０が行う。制御部２０はＣＰＵ（Ｃｅｎｔｒａｌ  
Ｐｒｏｃｅｓｓｉｎｇ  Ｕｎｉｔ）あるいは、任意の制御回路や、ＡＳＩＣ等の専用回路
により構成される。
【００２１】
端末装置１の無線通信部２１はアンテナの他、符号化回路および復号化回路を含む通信
回路等により構成されており、基地局４と通信を行い、各種情報を送受信する。
【００２２】
表示部２２は例えば液晶パネルであり、各種情報を表示する。操作部２３は例えばタッ
チパッドであり、ユーザによる操作を受け付け、当該操作に基づく指示を制御部２０に伝
える。液晶パネルとタッチパッドを組み合わせて一体化したものは一般にタッチパネルと
呼ばれ、本実施例でもタッチパネルを使用した例を記載している。
【００２３】
コマンド送信部２４は例えば赤外線やＷｉ−Ｆｉ、Ｗｉ−Ｆｉ  Ｄｉｒｅｃｔ、Ｂｌｕ
ｅｔｏｏｔｈ（登録商標）などを使用して、映像表示装置３に各種コマンドを送信する。
ステータス受信部２５は、同じくＷｉ−Ｆｉなどを利用して、映像表示装置３からステー
タス情報を受信する。コマンドとは、端末装置１が映像表示装置３のリモート制御を行う
ための情報であり、例えば、電源のオンとオフの切り替えを指示する電源コマンドや、特
定のチャンネルや音量を指示する設定コマンドなどが含まれる。また、ステータス情報と
は、リモート制御の可否を特定し得る情報であり、リモート制御をする権限の有無や、複
数の端末装置１間の優先順位などが含まれる。なお、映像表示装置３へのコマンドの送信
や、映像表示装置３からのステータス情報の受信は、無線ルータ６等を介して間接的に行
ってもよい。また、コマンド送信部２４とステータス受信部２５とは別体であっても、一
のハードウェアにより一体的に構成しても良い。
【００２４】
尚、コマンド送信部２４は、コマンドを送信する際には端末装置１固有の識別コードも
送信する。識別コードとしては、端末装置１に個別に付与されるＩＤや電話番号などが適
用可能である。また、一般的には一人のユーザが一つの端末装置１を所有することが想定
されるため、端末装置１の製造メーカ等によってユーザごとに与えられるユーザＩＤを適
用しても良い。この場合、ユーザＩＤは、ユーザの操作等に基づいて端末装置１に事前に
記憶される。
【００２５】
記憶部２６は、ＲＯＭ（Ｒｅａｄ  Ｏｎｌｙ  Ｍｅｍｏｒｙ）、ＲＡＭ（Ｒａｎｄｏｍ
Ａｃｃｅｓｓ  Ｍｅｍｏｒｙ）、フラッシュＲＯＭなどにより構成され、端末装置１を
制御するためのプログラムや各種設定値などを格納する。
【００２６】
図３は、図１の映像表示装置３の構成を示すブロック図である。
【００２７】
映像表示装置３の各部の制御は制御部３０が行う。制御部３０はＣＰＵあるいは、任意
の制御回路や、ＡＳＩＣ等の専用回路により構成される。
【００２８】
テレビ信号受信部３１は復号化回路を含む通信回路等により構成されており、放送局５
から配信（出力）されたテレビジョン信号を受信し、映像および音声を復号して表示部３
２および音声出力部３３に送る。また、テレビ信号受信部３１は上記通信回路等を複数備
えており、複数のテレビ放送を同時に受信可能である。
【００２９】
表示部３２は例えば液晶パネル、プラズマパネルや有機ＥＬ（ＥｌｅｃｔｒｏＬｕｍｉ
ｎｅｓｃｅｎｃｅ）パネルなどによって構成されており、各種映像コンテンツ、および各
種情報を表示する。また、表示部３２は複数の画面（領域）に分割可能であり、テレビ信
号受信部３１が出力する複数の映像コンテンツを同時に表示することができる。
【００３０】
音声出力部３３は例えばアンプとスピーカによって構成されており、各種音声を出力す
る。
【００３１】
コマンド受信部３４は例えば赤外線やＷｉ−Ｆｉ、Ｗｉ−Ｆｉ  Ｄｉｒｅｃｔ、Ｂｌｕ
ｅｔｏｏｔｈなどを使用して、端末装置１からコマンドと識別コードを受信し、各端末装
置１からの指示を識別コードと共に制御部３０に伝える。ステータス送信部３５は、端末
装置１にステータス情報を送信する。尚、コマンド受信部３４とステータス送信部３５と
は別体であっても、一体であっても良い。
【００３２】
記憶部３６は、ＲＯＭ、ＲＡＭやフラッシュＲＯＭなどにより構成され、映像表示装置
３を制御するためのプログラムや各種設定情報、電源コマンドを送信した端末装置１の識
別コード、各端末装置１の優先順位などを格納する。尚、ＨＤＤ（Ｈａｒｄ  Ｄｉｓｃ  
Ｄｒｉｖｅ）やＢＤ（Ｂｌｕ−ｒａｙ  Ｄｉｓｃ）ドライブのようなストレージを備え、
映像コンテンツを記憶してもよい。
【００３３】
ＬＡＮ送受信部３７は有線あるいは無線で無線ルータと接続し、インターネットなどを
介して、映像コンテンツなどを受信することができる。
【００３４】
図４は、本発明の第１の実施例の端末装置１の処理を示すフローチャートである。この
フローチャートは、端末装置１が映像表示装置３をリモート制御する際の処理を示してい
る。
【００３５】
ステップＳ４０１において、端末装置１は、ユーザの操作に基づき、映像表示装置３の
リモート制御を行うためのアプリケーションソフトウェア（以降、「操作アプリ」）が起
動されるのを待つ。
【００３６】
図５は、端末装置１のタッチパネル式の表示部２２の各種表示例である。図５（ａ）は
、端末装置１に各種アプリケーションソフトウェアが並んだメニュー画面を示しており、
タッチパネルに表示された「テレビ」ボタンがユーザによって押されると操作アプリが起
動する。
【００３７】
ステップＳ４０２において、ユーザの操作に基づいて、端末装置１はリモート制御の対
象とする映像表示装置３を選択する。図５（ｂ）は、リモート制御の対象として選択可能
な映像表示装置３が２台ある場合の選択画面の表示例である。ここでは、「テレビＡ」が
選択されるものとする。
【００３８】
リモート制御の対象とする映像表示装置３が選択されると、端末装置１は映像表示装置
３に対して送信可能な各種指示を表示する。図５（ｃ）は、その際の映像表示装置３の操
作画面の表示例である。
【００３９】
次に、ステップＳ４０３において、端末装置１はユーザが操作アプリを終了するための
操作をしたかどうかを確認する。ユーザが操作アプリを終了するための操作をすると、端
末装置１は操作アプリの動作を終了し、メニュー画面を表示する工程に戻る。
【００４０】
ステップＳ４０４において、端末装置１はユーザによって電源ボタンが押されたかどう
かを確認する。端末装置１に表示された電源ボタンが押された場合、端末装置１は、映像
表示装置３に電源コマンドを送信し（ステップＳ４０５）、ステップＳ４０６において、
端末装置１の記憶部２６に記憶されたチャンネルや音量などの各種設定値を映像表示装置
３に設定コマンドとして送信した後、ステップＳ４０３からの工程を繰り返す。
【００４１】
なお、端末装置１は、電源コマンドや設定コマンドなどの各種コマンドを送信する際に
は自己の識別コードを送信する。
【００４２】
端末装置１は電源コマンドの送信に続いて記憶部２６に記憶されたチャンネルや各種設
定値を含む設定コマンドを映像表示装置３に送信することにより、端末装置１の設定値通
りに映像表示装置３を設定することができる。 
また、ステップＳ４０４において、端末装置１に表示された映像表示装置３の電源ボタ
ンが押されていない場合、ステップＳ４０７において、端末装置１は映像表示装置３の電
源オンオフ以外の設定変更が指示されたかどうかを確認する。電源オンオフ以外の設定変
更とは、例えばチャンネル変更や音量設定、あるいは画質調整などである。
【００４３】
映像表示装置３の設定変更が指示された場合、端末装置１は、映像表示装置３に該当す
る設定コマンドを送信し（ステップＳ４０８）、ステップＳ４０９において、端末装置１
の記憶部２６に設定値を記憶する。
【００４４】
例えば、チャンネル１ボタンが押された場合、端末装置１は、チャンネル１への切り替
えを指示する設定コマンドを送信し、記憶部２６にはチャンネル１を示す情報を記憶する
。その次にチャンネル＋ボタンが押された場合、端末装置１は、チャンネルの加算あるい
はチャンネル２への切り替えを指示する設定コマンドを送信し、記憶部２６にはチャンネ
ル２を示す情報を記憶する。このように、設定コマンドがチャンネル＋やチャンネル−の
ように相対値を指定するものである場合は、チャンネル２のような絶対値に置き換えて、
記憶部２６には最終値のみ記憶しておく。
【００４５】
次に、端末装置１は、ステップＳ４１０において、映像表示装置３から送られたステー
タス情報があれば受信し、ステータス情報に対応した表示すべき情報があれば表示部２２
に表示して、ステップＳ４０３からの工程を繰り返す。端末装置１に送られたステータス
情報であるかどうかは識別コードで判断する。
【００４６】
図５（ｄ）はステータス情報の表示例である。
【００４７】
ステップＳ４０７において、映像表示装置３の設定が指示されていない場合、端末装置
１はステップＳ４０３からの工程を繰り返す。
【００４８】
図６は、本発明の第１の実施例の映像表示装置３の処理を示すフローチャートである。
このフローチャートは、映像表示装置３が端末装置１にリモート制御される際の処理を示
している。
【００４９】
ステップＳ６０１において、映像表示装置３は電源コマンドの受信を待つ。電源コマン
ドを受信したら、映像表示装置３は電源を入れると共に、端末装置１から送信された各種
設定値を反映する（ステップＳ６０２）。そして、ステップＳ６０３において、映像表示
装置３は、電源コマンドを送信した端末装置１を端末装置Ａとして、その識別コードを記
憶部３６に記憶しておく。
【００５０】
次に、ステップＳ６０４において、映像表示装置３は１画面表示を行う。映像表示装置
３は２画面表示機能を持ち、初期状態は１画面表示であるものとする。
【００５１】
次に、ステップＳ６０５において、映像表示装置３は再び電源コマンドを受信したかど
うかを確認する。電源コマンドを受信した場合、映像表示装置３は、受信したコマンドが
端末装置Ａからのコマンドかどうかを確認する（ステップＳ６０６）。端末装置Ａからの
コマンドかどうかは、電源コマンドを受信した際の識別コードが記憶部３６に記憶した識
別コードと一致したかどうかで判断できる。
【００５２】
ステップＳ６０６において、受信した電源コマンドが端末装置Ａからのコマンドである
場合、映像表示装置３は電源を切る（ステップＳ６０７）。
【００５３】
なお、本実施例では映像表示装置３が電源コマンドを受信する毎に電源オンオフを繰り
返す、トグル制御を例として示しているが、電源オンと電源オフのコマンドを分離しても
よい。
【００５４】
また、ステップＳ６０５において、映像表示装置３は、電源コマンドを受信していない
場合、電源コマンド以外のその他のコマンドを受信したかどうかを確認する（ステップＳ
６０８）。その他のコマンドを受信した場合、映像表示装置３は、受信したコマンドが端
末装置Ａからのコマンドかどうかを確認する（ステップＳ６０９）。
【００５５】
その他のコマンドとは、例えばチャンネルの切り換えや音量あるいは明るさの設定を指
示する設定コマンドなどである。
【００５６】
ステップＳ６０９において、受信したコマンドが端末装置Ａからのコマンドである場合
、映像表示装置３は、指示通りコマンド実行し（ステップＳ６１０）、ステップＳ６０５
からの工程を繰り返す。
【００５７】
また、ステップＳ６０９において、受信したコマンドが端末装置Ａからのコマンドでな
い場合、映像表示装置３はチャンネル等を変更する権限がないことを示すステータス情報
を該当する端末装置１に送信し（ステップＳ６１１）、ステップＳ６０５からの工程を繰
り返す。このステータスを受信した端末装置１は当該コマンドの実行権限がないことを表
示部２２に表示する。図５（ｄ）はチャンネルの変更権限がないことを表示した例である
。
【００５８】
なお、端末装置１にステータス情報を送る場合、映像表示装置３は、前記ステップＳ６
０８でコマンドを受信した際の識別コードをステータス情報と共に送ればよい。これによ
り、ステータス情報を受信した端末装置１は、図５（ｄ）のような表示を行うべきかどう
かを判断することができる。
【００５９】
また、ステップＳ６０８において、その他のコマンドを受信していない場合、映像表示
装置３はステップＳ６０５からの工程を繰り返す。
【００６０】
また、ステップＳ６０６において、受信したコマンドが端末装置Ａからのコマンドでな
い場合、映像表示装置３は、その端末装置１を端末装置Ｂとして、その識別コードを記憶
部３６に記憶しておく（ステップＳ６１６）。
【００６１】
次に、ステップ６１７において、映像表示装置３は画面Ａと画面Ｂの２画面表示を行う
。画面Ａは端末装置Ａによりリモート制御でき、画面Ｂは端末装置Ｂによりリモート制御
できるものとする。
【００６２】
次に、ステップＳ６１８において、映像表示装置３は再び電源コマンドを受信したかど
うかを確認する。電源コマンドを受信した場合、映像表示装置３は、受信したコマンドが
端末装置Ａからのコマンドかどうかを確認する（ステップＳ６２０）。
【００６３】
ステップＳ６２０において、受信したコマンドが端末装置Ａからのコマンドである場合
、映像表示装置３は、端末装置Ｂとして記憶部３６に記憶されている端末装置１を端末装
置Ａとして、その識別コード記憶し（ステップＳ６２１）、ステップＳ６０４からの工程
を繰り返す。
【００６４】
ステップＳ６０４では、映像表示装置３は２画面表示を１画面表示に切り換え、画面Ｂ
を表示する。
【００６５】
ステップＳ６２０において、受信したコマンドが端末装置Ａからのコマンドでない場合
、映像表示装置３は、ステップＳ６０４からの工程を繰り返す。
【００６６】
ステップＳ６０４では、映像表示装置３は２画面表示を１画面表示に切り換え、画面Ａ
を表示する。
【００６７】
また、ステップＳ６１８において、電源コマンドを受信していない場合、映像表示装置
３は、その他のコマンドを受信しているかどうかを確認する（ステップＳ６２２）。
【００６８】
ステップＳ６２２において、その他のコマンドを受信している場合、映像表示装置３は
、受信したコマンドが端末装置Ａからのコマンドかどうかを確認する（ステップＳ６２３
）。
【００６９】
ステップＳ６２３において、受信したコマンドが端末装置Ａからのコマンドである場合
、映像表示装置３は、画面Ａに対して指示通りにコマンド実行した後（ステップＳ６２４
）、ステップＳ６１８からの工程を繰り返す。
【００７０】
ステップＳ６２３において、受信したコマンドが端末装置Ａからのコマンドでない場合
、すなわち端末装置Ｂからのコマンドである場合、映像表示装置３は、画面Ｂに対して指
示通りにコマンド実行した後（ステップＳ６２５）、ステップＳ６１８からの工程を繰り
返す。
【００７１】
画面Ｂに対して実行するコマンドとは、例えば画面Ｂのチャンネルの変更や入力の切り
換えなどを指示する設定コマンドである。音量や明るさなどのように、画面Ａと画面Ｂで
共通する設定変更は、端末装置Ｂから実行できるようにしてもよいし、端末装置Ｂから実
行できないようにしてもよい。
【００７２】
また、ステップＳ６２２において、その他のコマンドを受信していない場合、映像表示
装置３はステップＳ６１８からの工程を繰り返す。
【００７３】
このようにして、例えば第一の端末装置１から映像表示装置３に電源コマンドを送ると
、映像表示装置３の電源が入り、その操作は第一の端末装置１からのみ行うことができる
。
【００７４】
次に、第一の端末装置１から映像表示装置３に電源コマンドを送ると、映像表示装置３
の電源が切れるが、第一の端末装置１からではなく第二の端末装置１から電源コマンドを
送ると、映像表示装置３は２画面表示となり、元の画面のチャンネル変更などの操作は第
一の端末装置１からのみ、追加された画面の操作は第二の端末装置１からのみ行うことが
できる。
【００７５】
更に、この２画面表示状態において、第一の端末装置１から映像表示装置３に電源コマ
ンドを送ると、映像表示装置３は１画面表示に戻り、その操作は第二の端末装置１からの
み行うことができる。そして、第二の端末装置１から映像表示装置３に電源コマンドを送
ると、映像表示装置３の電源が切れる。
【００７６】
前記２画面表示状態において、第一の端末装置１ではなく第二の端末装置１から電源コ
マンドを送ると、映像表示装置３は１画面表示に戻り、その操作は第一の端末装置１から
のみ行うことができる。そして、第一の端末装置１から映像表示装置３に電源コマンドを
送ると、映像表示装置３の電源が切れる。
【００７７】
すなわち１画面表示中に映像表示装置３を操作している端末装置１自身から電源コマン
ドを送ると、映像表示装置３の電源が切れるが、別の端末装置１から電源コマンドを送る
と、２画面表示に切り換わり、元の画面の操作は当初の端末装置１からのみ、追加された
画面の操作は別の端末装置１からのみ行うことができる。
【００７８】
そして、２画面表示中にどちらかの端末装置１から電源コマンドを送ると、映像表示装
置３は１画面表示に切り換わり、当該電源コマンドを送った端末装置１とは別の端末装置
１からのみ操作を行うことができる。
【００７９】
以上の構成により本発明の第１の実施例では、端末装置１が映像表示装置３に送ったチ
ャンネルや音量の設定を記憶しておき、電源コマンドの送信後に、記憶している設定値を
映像表示装置３に送信することにより、ユーザが端末装置１を使用して電源を入れるだけ
で映像表示装置３は前回視聴していたチャンネルや音量に設定される。
【００８０】
各種の設定値は端末装置１に記憶されるため、複数のユーザが各自の端末装置１に映像
表示装置３の設定値を記憶することができ、自分の端末装置１を使って映像表示装置３の
電源を入れると、映像表示装置３をユーザが前回視聴した設定にすることができる。更に
、或る映像表示装置３で視聴していた設定を別の映像表示装置３に反映させることができ
る。
【００８１】
更に、複数の端末装置１が映像表示装置３に電源コマンドを送ると、映像表示装置３の
画面が分割表示され、各々の端末装置１から対応する画面を操作することができる。
【００８２】
そして、画面が分割表示された映像表示装置３に電源コマンドを送ると、映像表示装置
の画面の分割表示を終了させることができる。
【００８３】
尚、本実施例では、リモート制御の対象としてチャンネルの変更を例示したが、ＵＲＬ
の変更も適用可能である。
【実施例２】
【００８４】
次に、本発明の第２の実施例について説明する。なお、本実施例における構成および効
果等は、特に断りのない限り、第１の実施例と同じである。このため、以下では本実施例
と第１の実施例との相違点を主に説明し、共通点の説明は極力省略する。
【００８５】
図７は、本発明の第２の実施例の映像表示装置３の処理を示すフローチャートである。
このフローチャートは、映像表示装置３が端末装置１にリモート制御される際の処理を示
している。
【００８６】
ステップＳ７０１〜ステップＳ７１０については、図６のステップＳ６０１〜ステップ
Ｓ６１０と同様であるため説明を省略する。
【００８７】
ステップＳ７０９において、受信したコマンドが端末装置Ａからのコマンドでない場合
、映像表示装置３は、当該コマンドを送信した端末装置１を端末装置Ｂとして、その識別
コードを記憶部３６に記憶しておく（ステップＳ７１１）。
【００８８】
次に、ステップ７１２において、映像表示装置３は画面Ａと画面Ｂの２画面表示を行う
。画面Ａは端末装置Ａによりリモート制御でき、画面Ｂは端末装置Ｂによりリモート制御
できるものとする。
【００８９】
次に、映像表示装置３は、画面Ｂに対して指示通りにコマンド実行し（ステップＳ７１
３）、ステップＳ７１８の工程を行う。
【００９０】
ステップＳ７１６〜ステップＳ７２５については、図６のステップＳ６１６〜ステップ
Ｓ６２５と同様であるため説明を省略する。
【００９１】
このようにして、例えば第一の端末装置１から映像表示装置３に電源コマンドを送ると
、映像表示装置３の電源が入り、その操作は第一の端末装置１からのみ行うことができる
。
【００９２】
この時、第二の端末装置１から操作を行うと、映像表示装置３は２画面表示となり、元
の画面の操作は第一の端末装置１からのみ、追加された画面の操作は第二の端末装置１か
らのみ行うことができる。
【００９３】
更に、第一の端末装置１から映像表示装置３に電源コマンドを送ると、映像表示装置３
は１画面表示に戻り、その操作は第二の端末装置１からのみ行うことができる。
【００９４】
第一の端末装置１ではなく第二の端末装置１から電源コマンドを送ると、映像表示装置
３は１画面表示に戻り、その操作は第一の端末装置１からのみ行うことができる。そして
、第一の端末装置１から映像表示装置３に電源コマンドを送ると、映像表示装置３の電源
が切れる。
【００９５】
以上の構成により本発明の第２の実施例では、第１の実施例と同様の効果を得ることが
できる。
【００９６】
更に、複数の端末装置１から映像表示装置３に操作コマンドを送ると、映像表示装置３
の画面が分割表示され、各々の端末装置１から対応する画面を操作することができる。
【００９７】
そして、画面が分割表示された映像表示装置３に電源コマンドを送ると、映像表示装置
３の画面の分割表示を終了させることができる。
【実施例３】
【００９８】
次に、本発明の第３の実施例について説明する。なお、本実施例における構成および効
果等も、特に断りのない限り、第１の実施例と同じであるため、以下では本実施例と第１
の実施例との相違点を主に説明する。
【００９９】
図８は、本発明の第３の実施例の映像表示装置３の処理を示すフローチャートである。
このフローチャートは、映像表示装置３が端末装置１にリモート制御される際の処理を示
している。
【０１００】
ステップＳ８０１〜ステップＳ８０７については、図６のステップＳ６０１〜ステップ
Ｓ６０７と同様であるため説明を省略する。
【０１０１】
ステップＳ８０８において、映像表示装置３は、チャンネルの変更を指示する設定コマ
ンド（以降、「チャンネル変更コマンド」）を受信したか否かを確認し、受信した場合は
、それが端末装置Ａからのコマンドかどうかを確認する（ステップＳ８０９）。
【０１０２】
ステップＳ８０９において、端末装置Ａからのチャンネル変更コマンドを受信した場合
、映像表示装置３は、チャンネルの変更を行い（ステップＳ８１０）、ステップＳ８０５
からの工程を繰り返す。
【０１０３】
また、ステップＳ８０９において、受信したチャンネル変更コマンドが端末装置Ａから
のコマンドでない場合、映像表示装置３はステップＳ８１１の工程を行う。
【０１０４】
ステップＳ８１１〜ステップＳ８１２については、図７のステップＳ７１１〜ステップ
Ｓ７１２と同様であるため説明を省略する。
【０１０５】
ステップＳ８１３において、画面Ｂのチャンネル変更を行った後、映像表示装置３はス
テップＳ８１８の工程を行う。
【０１０６】
また、ステップＳ８０８において、チャンネル変更コマンドを受信していない場合、映
像表示装置３は、電源コマンドとチャンネル変更コマンド以外のその他のコマンドを受信
したかどうかを確認する（ステップＳ８１４）。
【０１０７】
その他のコマンドとは、例えば音量や明るさの変更を指示する設定コマンドなどである
。
【０１０８】
ステップＳ８１４において、その他のコマンドを受信した場合、映像表示装置３は、指
示通りにコマンド実行し（ステップＳ８１５）、ステップＳ８０５からの工程を繰り返す
。
【０１０９】
ステップＳ８１４において、その他のコマンドを受信していない場合も、映像表示装置
３はステップＳ８０５からの工程を繰り返す。
【０１１０】
ステップＳ８１６〜ステップＳ８１７については、図６のステップＳ６１６〜ステップ
Ｓ６１７と同様であるため説明を省略する。
【０１１１】
ステップＳ８１８において、電源コマンドを受信していない場合、映像表示装置３はチ
ャンネル変更コマンドを受信したかどうかを確認する（ステップＳ８２２）。
【０１１２】
ステップＳ８２２において、チャンネル変更コマンドを受信した場合、映像表示装置３
は、それが端末装置Ａからのコマンドかどうかを確認する（ステップＳ８２３）。
【０１１３】
ステップＳ８２３において、受信したコマンドが端末装置Ａからのコマンドである場合
、映像表示装置３は、画面Ａのチャンネルを変更した後（ステップＳ８２４）、ステップ
Ｓ８１８からの工程を繰り返す。
【０１１４】
ステップＳ８２３において、受信したコマンドが端末装置Ａからのコマンドでない場合
、映像表示装置は、画面Ｂのチャンネルを変更した後（ステップＳ８２５）、ステップＳ
８１８からの工程を繰り返す。
【０１１５】
また、ステップＳ８２２において、チャンネル変更コマンドを受信していない場合、映
像表示装置３は、映像表示装置３がその他のコマンドを受信したかどうかを確認する（ス
テップＳ８２６）。
【０１１６】
ステップＳ８２６において、その他のコマンドを受信した場合、映像表示装置３は、指
示通りにコマンド実行した後（ステップＳ８２７）、ステップＳ８１８からの工程を繰り
返す。
【０１１７】
ステップＳ８２６において、その他のコマンドを受信していない場合も、映像表示装置
３はステップＳ８１８からの工程を繰り返す。
【０１１８】
このようにして、例えば第一の端末装置１から映像表示装置３に電源コマンドを送ると
、映像表示装置３の電源が入り、その操作は第一の端末装置１と第二の端末装置１から行
うことができる。
【０１１９】
ただし、第二の端末装置１からチャンネルの切替操作を行うと、映像表示装置３は２画
面表示となり、元の画面のチャンネルの切り換えは第一の端末装置１からのみ、追加され
た画面のチャンネル切り換えは第二の端末装置１からのみ行うことができる。その他の操
作は第一の端末装置１と第二の端末装置１から行うことができる。
【０１２０】
更に、第一の端末装置１から映像表示装置３に電源コマンドを送ると、映像表示装置３
は１画面表示に戻り、その操作は第二の端末装置１からのみ行うことができる。
【０１２１】
第一の端末装置１ではなく第二の端末装置１から電源コマンドを送ると、映像表示装置
３は１画面表示に戻り、その操作は端末装置１からのみ行うことができる。そして、第一
の端末装置１から映像表示装置３に電源コマンドを送ると、映像表示装置３の電源が切れ
る。
【０１２２】
以上の構成により本発明の第３の実施例では、第１の実施例と同様の効果を得ることが
できる。
【０１２３】
更に、複数の端末装置１から映像表示装置３にチャンネル変更コマンドを送ると、映像
表示装置の画面が分割表示され、各々の端末装置１から対応する画面を操作することがで
きる。
【０１２４】
そして、画面が分割表示された映像表示装置３に電源コマンドを送ると、映像表示装置
３の画面の分割表示を終了させることができる。
【実施例４】
【０１２５】
次に、本発明の第４の実施例について説明する。なお、本実施例における構成および効
果等も、特に断りのない限り、第１の実施例と同じであるため、以下では本実施例と第１
の実施例との相違点を主に説明する。
【０１２６】
図９は、本発明の第４の実施例の映像表示装置３の処理を示すフローチャートである。
このフローチャートは、映像表示装置３が端末装置１にリモート制御される際の処理を示
している。
【０１２７】
ステップＳ９０１〜ステップＳ９０５については、図６のステップＳ６０１〜ステップ
Ｓ６０５と同様であるため説明を省略する。
【０１２８】
ステップＳ９０５において、電源コマンドを受信した場合、映像表示装置３は電源を切
る（ステップＳ９０７）。
【０１２９】
ステップＳ９０５において、電源コマンドを受信していない場合、映像表示装置３は２
画面切り換えコマンドを受信したかどうかを確認する（ステップＳ９１３）。
【０１３０】
ステップＳ９１３において、２画面切り換えコマンドを受信した場合、映像表示装置３
は、受信したコマンドが端末装置Ａからのコマンドかどうかを確認する（ステップＳ９１
４）。
【０１３１】
ステップＳ９１４において、受信したコマンドが端末装置Ａからのコマンドである場合
、映像表示装置３は、２画面表示に切り換えた後（ステップＳ９１５）、ステップＳ９０
５からの工程を繰り返す。この場合は２画面共に端末装置Ａからのみ操作することができ
る。
【０１３２】
なお、本実施例では映像表示装置３が２画面切り換えコマンドを受信する毎に２画面表
示と１画面表示を切り換える、トグル制御を例として示しているが、２画面表示開始と２
画面表示終了のコマンドを分離してもよい。
【０１３３】
ステップＳ９１４において、受信したコマンドが端末装置Ａからのコマンドでない場合
、映像表示装置３はステップＳ９１６の工程を行う。
【０１３４】
ステップＳ９１６〜ステップＳ９１７については、図６のステップＳ６１６〜ステップ
Ｓ６１７と同様であるため説明を省略する。
【０１３５】
また、ステップＳ９１３において、２画面切り換えコマンドを受信していない場合、映
像表示装置３は、電源コマンドと２画面切り換えコマンド以外のその他のコマンドを受信
したかどうかを確認する（ステップＳ９０８）。
【０１３６】
その他のコマンドとは、例えばチャンネルの切り換えや音量あるいは明るさの設定を指
示する設定コマンドなどである。
【０１３７】
ステップＳ９０８において、その他のコマンドを受信した場合、映像表示装置３はステ
ップＳ９０９の工程を行い、その他のコマンドを受信していない場合はステップＳ９０５
からの工程を繰り返す。
【０１３８】
ステップＳ９０９〜ステップＳ９１１については、図６のステップＳ６０９〜ステップ
Ｓ６１１と同様であるため説明を省略する。
【０１３９】
図１２は、端末装置１のタッチパネル式の表示部２２の各種表示例であり、チャンネル
を変更する権限がないことを知らせると共に、２画面表示への切り換えを促すメッセージ
を表示し、２画面切り換えボタンを配置したものである。これはステップＳ９１１におい
て表示される。
【０１４０】
次に、ステップＳ９１８において、映像表示装置３は再び電源コマンドを受信したかど
うかを確認する。電源コマンドを受信した場合、映像表示装置３は電源を切る（ステップ
Ｓ９０７）。
【０１４１】
ステップＳ９１８において、電源コマンドを受信していない場合、映像表示装置３は２
画面切り換えコマンドを受信したかどうかを確認する（ステップＳ９１９）。
【０１４２】
ステップＳ９１９において、２画面切り換えコマンドを受信した場合、映像表示装置３
は、それが端末装置Ａからのコマンドかどうかを確認する（ステップＳ９２０）。
【０１４３】
ステップＳ９１９において、２画面切り換えコマンドを受信していない場合、映像表示
装置３は、電源コマンドと２画面切り換えコマンド以外のその他のコマンドを受信したか
どうかを確認する（ステップＳ９２２）。
【０１４４】
ステップＳ９２０〜ステップＳ９２５については図６のステップＳ６２０〜ステップＳ
６２５と同様であるため説明を省略する。
【０１４５】
このようにして、例えば第一の端末装置１から映像表示装置３に電源コマンドを送ると
、映像表示装置３の電源が入り、その操作は第一の端末装置１からのみ行うことができる
。
【０１４６】
更に、第二の端末装置１から２画面切り換えコマンドを送ると、映像表示装置３は２画
面表示となり、元の画面の操作は第一の端末装置１からのみ、追加された画面の操作は第
二の端末装置１からのみ行うことができる。
【０１４７】
次に、第一の端末装置１から２画面切り換えコマンドを送ると、映像表示装置３は１画
面表示となり、その操作は第二の端末装置１からのみ行うことができる。
【０１４８】
また、第二の端末装置１から２画面切り換えコマンドを送ると、映像表示装置３は１画
面表示となり、その操作は第二の端末装置１からのみ行うことができる。
【０１４９】
そして、第一の端末装置１あるいは第二の端末装置２から映像表示装置３に電源コマン
ドを送ると、映像表示装置３の電源が切れる。
【０１５０】
以上の構成により本発明の第４の実施例では、第１の実施例と同様の効果を得ることが
できる。
【０１５１】
更に、映像表示装置３の電源を入れた端末装置１とは別の端末装置１から２画面切り換
えコマンドを送ると、映像表示装置３の画面が分割表示され、各々の端末装置１から対応
する画面を操作することができる。
【０１５２】
そして、画面が分割表示された映像表示装置３に２画面切り換えコマンドを送ると、映
像表示装置３の画面の分割表示を終了させることができる。
【実施例５】
【０１５３】
次に、本発明の第５の実施例について説明する。なお、本実施例における構成および効
果等も、特に断りのない限り、第１の実施例と同じであるため、以下では本実施例と第１
の実施例との相違点を主に説明する。
【０１５４】
図１０は、本発明の第５の実施例の映像表示装置３の処理を示すフローチャートである
。このフローチャートは、映像表示装置３が端末装置１にリモート制御される際の処理を
示している。
【０１５５】
ステップＳ１００１〜ステップＳ１００７については、図９のステップＳ９０１〜ステ
ップＳ９０７と同様であるため説明を省略する。
【０１５６】
ステップＳ１００８〜ステップＳ１０１５については、図８のステップＳ８０８〜ステ
ップＳ８１５と同様であるため説明を省略する。
【０１５７】
ステップＳ１０１８において、映像表示装置３は電源コマンドを受信したかどうかを確
認する。電源コマンドを受信した場合、映像表示装置３は電源を切る（ステップＳ１００
７）。
【０１５８】
ステップＳ１０１８において、電源コマンドを受信していない場合、映像表示装置３は
操作アプリの終了を指示するコマンド（以降、「アプリ終了コマンド」）を受信したかど
うかを確認する（ステップＳ１０１９）。
【０１５９】
ステップＳ１０１９において、アプリ終了コマンドを受信した場合、映像表示装置３は
、それが端末装置Ａからのコマンドかどうかを確認する（ステップＳ１０２０）。
【０１６０】
ステップＳ１０２０〜ステップＳ１０２１については図６のステップＳ６２０〜ステッ
プＳ６２１と同様であるため説明を省略する。
【０１６１】
ステップＳ１０１９において、アプリ終了コマンドを受信していない場合、映像表示装
置３は、チャンネル変更コマンドを受信したかどうかを確認する（ステップＳ１０２２）
。
【０１６２】
ステップＳ１０２２〜ステップＳ１０２７については図８のステップＳ８２２〜ステッ
プＳ８２７と同様であるため説明を省略する。
【０１６３】
このようにして、例えば第一の端末装置１から映像表示装置３に電源コマンドを送ると
、映像表示装置３の電源が入り、その操作は第一の端末装置１と第二の端末装置１から行
うことができる。
【０１６４】
ただし、第二の端末装置１からチャンネルの切替操作を行うと、映像表示装置３は２画
面表示となり、元の画面のチャンネルの切り換えは第一の端末装置１からのみ、追加され
た画面のチャンネルの切り換えは第二の端末装置１からのみ行うことができる。その他の
操作は第一の端末装置１と第二の端末装置１から行うことができる。
【０１６５】
更に、第一の端末装置１から映像表示装置３にアプリ終了コマンドを送ると、映像表示
装置３は１画面表示に戻り、その操作は第二の端末装置１からのみ行うことができる。
【０１６６】
第一の端末装置１ではなく第二の端末装置１からアプリ終了コマンドを送ると、映像表
示装置３は１画面表示に戻り、その操作は第一の端末装置１からのみ行うことができる。
そして、第一の端末装置１から映像表示装置３に電源コマンドを送ると、映像表示装置３
の電源が切れる。
【０１６７】
以上の構成により本発明の第５の実施例では、第１の実施例と同様の効果を得ることが
できる。
【０１６８】
更に、映像表示装置３の電源を入れた端末装置１とは別の端末装置１からチャンネル変
更コマンドを送ると、映像表示装置３の画面が分割表示され、各々の端末装置１から対応
する画面を操作することができる。
【０１６９】
そして、画面が分割表示された映像表示装置３にアプリ終了コマンドを送ると、映像表
示装置３の画面の分割表示を終了させることができる。
【実施例６】
【０１７０】
次に、本発明の第６の実施例について説明する。なお、本実施例における構成および効
果等も、特に断りのない限り、第１の実施例と同じであるため、以下では本実施例と第１
の実施例との相違点を主に説明する。
【０１７１】
図１１は、本発明の第６の実施例の映像表示装置３の処理を示すフローチャートである
。このフローチャートは、映像表示装置３が端末装置１にリモート制御される際の処理を
示している。
【０１７２】
ステップＳ１１０１〜ステップＳ１１１８については、図１０のステップＳ１００１〜
ステップＳ１０１８と同様であるため説明を省略する。
【０１７３】
ステップＳ１１１８において、電源コマンドを受信していない場合、映像表示装置３は
チャンネル変更コマンドを受信したかどうかを確認する（ステップＳ１１２２）。
【０１７４】
ステップＳ１１２２において、チャンネル変更コマンドを受信した場合、映像表示装置
３は、それが端末装置Ａからのコマンドかどうかを確認する（ステップＳ１１２３）。
【０１７５】
ステップＳ１１２３において、受信したコマンドが端末装置Ａからのコマンドである場
合、映像表示装置３は、画面Ａのチャンネルを変更し（ステップＳ１１２４）、ステップ
Ｓ１１２８の工程を行う。
【０１７６】
ステップＳ１１２３において、受信したコマンドが端末装置Ａからのコマンドでない場
合、映像表示装置３は、画面Ｂのチャンネルを変更し（ステップＳ１１２５）、ステップ
Ｓ１１２８の工程を行う。
【０１７７】
また、ステップＳ１１２２において、チャンネル変更コマンドを受信していない場合、
映像表示装置３はステップＳ１１２６の工程を行う。
【０１７８】
ステップＳ１１２６〜ステップＳ１１２７については、図８のステップＳ８２６〜ステ
ップＳ８２７と同様であるため説明を省略する。
【０１７９】
次に、ステップＳ１１２８において、映像表示装置３は、変更した画面Ａのチャンネル
と画面Ｂのチャンネルが一致したかどうかを確認する。
【０１８０】
次に、ステップＳ１１２８において、チャンネルが一致した場合、当該チャンネルに基
づく映像コンテンツを表示すべく、映像表示装置３は１画面表示に変更する（ステップＳ
１１０４）。
【０１８１】
ステップＳ１１２８において、チャンネルが一致しない場合、映像表示装置３はステッ
プＳ１１１８からの工程を繰り返し、２画面表示を継続する。
【０１８２】
このようにして、例えば第一の端末装置１から映像表示装置３に電源コマンドを送ると
、映像表示装置３の電源が入り、その操作は第一の端末装置１と第二の端末装置２から行
うことができる。
【０１８３】
ただし、第二の端末装置２からチャンネルの切替操作を行うと、映像表示装置３は２画
面表示となり、元の画面の操作は第一の端末装置１からのみ、追加された画面の操作は第
二の端末装置１からのみ行うことができる。
【０１８４】
更に、２画面のチャンネルが一致したら映像表示装置３は１画面表示に戻る。
【０１８５】
そして、第一の端末装置１あるいは第二の端末装置１から映像表示装置３に電源コマン
ドを送ると、映像表示装置３の電源が切れる。
【０１８６】
以上の構成により本発明の第６の実施例では、第１の実施例と同様の効果を得ることが
できる。
【０１８７】
更に、映像表示装置３の電源を入れた端末装置１とは別の端末装置１からチャンネル操
作コマンドを送ると、映像表示装置３の画面が分割表示され、各々の端末装置１から対応
する画面を操作することができる。
【０１８８】
そして、２画面のチャンネルが一致したら、映像表示装置３の画面の分割表示を終了さ
せることができる。
【実施例７】
【０１８９】
次に、本発明の第７の実施例について説明する。なお、本実施例における構成および効
果等も、特に断りのない限り、第１の実施例と同じであるため、以下では本実施例と第１
の実施例との相違点を主に説明する。
【０１９０】
図１３は、本発明の第７の実施例の端末装置１の処理を示すフローチャートである。こ
のフローチャートは、端末装置１から映像表示装置３をリモート制御する際の処理を示し
ている。
【０１９１】
ステップＳ１３０１〜ステップＳ１３０２については、図４のステップＳ４０１〜ステ
ップＳ４０２と同様であるため説明を省略する。
【０１９２】
ステップＳ１３１１において、端末装置１は緊急速報を受信したかどうかを確認する。
緊急速報を受信した場合、端末装置１は緊急モードに切り換わる。緊急速報とは、災害の
発生などの緊急事態を知らせるために配信される情報であり、例えば緊急地震速報や津波
警報である。
【０１９３】
ステップＳ１３０３において、端末装置１は、ユーザによって操作アプリを終了するた
めの操作がされたかどうかを確認する。操作アプリを終了するための操作がされた場合、
端末装置１は処理を終了し、操作されていない場合は、映像表示装置３の電源ボタンが押
されたかどうかを確認する（ステップＳ１３０４）。端末装置１に表示された映像表示装
置３の電源ボタンが押された場合、映像表示装置３は、緊急モードかどうかで異なる処理
を行う。
【０１９４】
ステップＳ１３１３において、端末装置１は緊急モードか否かを判別し、緊急モードで
ある場合は、映像表示装置３に電源コマンドを送信し（ステップＳ１３１４）、ステップ
Ｓ１３１１からの工程を繰り返す。
【０１９５】
なお、電源コマンドを送信する際には予め定めた緊急コードを送信する。緊急コードは
識別コードとは全く異なるユニークなコードを定めるとよい。
【０１９６】
ステップＳ１３１３において、緊急モードでない場合、端末装置１はステップＳ１３０
５の工程を行う。
【０１９７】
ステップＳ１３０５〜ステップＳ１３０６については、図４のステップＳ４０５〜ステ
ップＳ４０６と同様であるため説明を省略する。
【０１９８】
なお、電源コマンドを送信する際には端末装置１の識別コードも送信される。
【０１９９】
また、ステップＳ１３０４において、端末装置１に表示された映像表示装置３の電源ボ
タンが押されていない場合、端末装置１は映像表示装置３の電源オンオフ以外の設定変更
がユーザによって指示されたかどうかを確認する（ステップＳ１３０７）。電源オンオフ
以外の設定変更とは、例えばチャンネル変更や音量設定、あるいは画質調整などである。
【０２００】
映像表示装置３の設定変更が指示された場合、端末装置１は、緊急モードかどうかで異
なる処理を行う。
【０２０１】
ステップＳ１３１５において、緊急モードである場合、端末装置１は、映像表示装置３
に該当するコマンドを送信し（ステップＳ１３１６）、ステップＳ１３１１からの工程を
繰り返す。
【０２０２】
なお、電源コマンドを送信する際には緊急コードも送信される。
【０２０３】
ステップＳ１３１５において、緊急モードでない場合、端末装置１はステップＳ１３０
８の工程を行う。
【０２０４】
ステップＳ１３０８〜ステップＳ１３１０については、図４のステップＳ４０８〜ステ
ップＳ４１０と同様であるため説明を省略する。
【０２０５】
なお、電源コマンド、チャンネル変更コマンドなどの各種コマンドを送信する際には端
末装置１の識別コードを送信する。
【０２０６】
このようにして、緊急速報を受信した端末装置１は緊急モードに切り換わり、映像表示
装置３にコマンドを送信する際に、識別コードの代わりに緊急コードを付加して送信し、
映像表示装置３を緊急モードに切り換える。
【０２０７】
図１４は、本発明の第７の実施例の映像表示装置の処理を示すフローチャートである。
このフローチャートは、映像表示装置３が端末装置１にリモート制御される際の処理を示
している。
【０２０８】
ステップＳ１４０１〜ステップＳ１４０２については、図６のステップＳ６０１〜ステ
ップＳ６０２と同様であるため説明を省略する。
【０２０９】
次に、ステップＳ１４２８において、映像表示装置３は緊急コードを受信したかどうか
を確認する。緊急コードを受信した場合、映像表示装置３は緊急モードに切り換わる（ス
テップＳ１４２９）。緊急モードでは例えば表示画面に緊急災害情報が表示される。
【０２１０】
緊急コードを受信していない場合、映像表示装置３は、電源コマンドを送信した端末装
置１を端末装置Ａとして、その識別コードを記憶部３６に記憶しておく（ステップＳ１４
０３）。
【０２１１】
ステップＳ１４０４については、図６のステップＳ６０４と同様であるため説明を省略
する。
【０２１２】
次に、ステップＳ１４０５において、映像表示装置３は再び電源コマンドを受信したか
どうかを確認する。電源コマンドを受信した場合、映像表示装置３は、緊急モードあるい
は受信した電源コマンドが端末装置Ａからのコマンドかどうかを確認する（ステップＳ１
４０６）。
【０２１３】
なお、映像表示装置３は、前述のステップＳ１４２９にて緊急モードに切り換わるほか
、ステップＳ１４０５、ステップＳ１４０８、ステップＳ１４１８、ステップＳ１４２２
において、緊急コードを受信した場合も緊急モードに切り換わる。
【０２１４】
また、端末装置Ａからのコマンドかどうかはコマンドを受信した際の識別コードが記憶
部３６に記憶した識別コードと一致したかどうかで判断できる。
【０２１５】
ステップＳ１４０６において、緊急モードあるいは受信した電源コマンドが端末装置Ａ
からのコマンドである場合、映像表示装置３は電源を切る（ステップＳ１４０７）。
【０２１６】
なお、本実施例では映像表示装置３が電源コマンドを受信する毎に電源オンオフを繰り
返す、トグル制御を例として示しているが、電源オンと電源オフのコマンドを分離しても
よい。
【０２１７】
また、ステップＳ１４０５において、電源コマンドを受信していない場合、映像表示装
置３は、その他のコマンドを受信したかどうかを確認する（ステップＳ１４０８）。その
他のコマンドを受信した場合、映像表示装置３は、緊急モードあるいは受信したコマンド
が端末装置Ａからのコマンドかどうかを確認する（ステップＳ１４０９）。
【０２１８】
ステップＳ１４０９において、緊急モードあるいは受信したコマンドが端末装置Ａから
のコマンドである場合はステップＳ１４１０に進み、指示通りコマンド実行した後、ステ
ップＳ１４０５に戻る。
【０２１９】
また、ステップＳ１４０９において、緊急モードあるいは受信したコマンドが端末装置
Ａからのコマンドでない場合、映像表示装置３はステップＳ１４１１の工程を行う。ステ
ップＳ１４１１については、図６のステップＳ６１１と同様であるため説明を省略する。
【０２２０】
また、ステップＳ１４０６において、緊急モードあるいは受信したコマンドが端末装置
Ａからのコマンドでない場合、映像表示装置３はステップＳ１４１６の工程を行う。
【０２２１】
ステップＳ１４１６〜ステップＳ１４１７については、図６のステップＳ６１６〜ステ
ップＳ６１７と同様であるため説明を省略する。
【０２２２】
次に、ステップＳ１４１８において、映像表示装置３は電源コマンドを受信したかどう
かを確認する。電源コマンドを受信した場合、映像表示装置３は、緊急モードかどうかを
確認する（ステップＳ１４１９）。緊急モードである場合、映像表示装置３は、映像表示
装置３は電源を切る（ステップＳ１４０７）。
【０２２３】
ステップＳ１４１９において、緊急モードでない場合、映像表示装置３は、受信したコ
マンドが端末装置Ａからのコマンドかどうかを確認する（ステップＳ１４２０）。
【０２２４】
ステップＳ１４２０〜ステップＳ１４２１については、図６のステップＳ６２０〜ステ
ップＳ６２１と同様であるため説明を省略する。
【０２２５】
また、ステップＳ１４１８において、電源コマンドを受信していない場合、映像表示装
置３は、その他のコマンドを受信しているかどうかを確認する（ステップＳ１４２２）。
【０２２６】
ステップＳ１４２２において、その他のコマンドを受信している場合、映像表示装置３
は、受信したコマンドが端末装置Ａからのコマンドかどうかを確認する（ステップＳ１４
２３）。
【０２２７】
ステップＳ１４２３において、受信したコマンドが端末装置Ａからのコマンドである場
合、映像表示装置３は、画面Ａに対して指示通りにコマンド実行する（ステップＳ１４２
４）。受信したコマンドが端末装置Ａからのコマンドでない場合、すなわち端末装置Ｂか
らのコマンドである場合、映像表示装置３は、画面Ｂに対して指示通りにコマンド実行す
る（ステップＳ１４２５）。
【０２２８】
次に、ステップＳ１４２６において、映像表示装置３は、緊急モードかどうかを確認す
る。緊急モードである場合、映像表示装置３は、指示通りにコマンド実行し（ステップＳ
１４２７）、ステップＳ１４０４からの工程を繰り返す。緊急モードでない場合、映像表
示装置３は、ステップＳ１４１８からの工程を繰り返す。
【０２２９】
ステップＳ１４０４では、映像表示装置３は２画面表示を１画面表示に切り換える。ス
テップＳ１４２３において、受信したコマンドが端末装置Ａからのコマンドであった場合
は画面Ａを表示し、端末装置Ａからのコマンドでなかった場合は画面Ｂを表示する。  ま
た、ステップＳ１４２２において、映像表示装置３がその他のコマンドを受信していない
場合、映像表示装置３は、ステップＳ１４１８からの工程を繰り返す。
【０２３０】
このようにして、例えば第一の端末装置１から映像表示装置３に電源コマンドを送ると
、映像表示装置３の電源が入り、その操作は第一の端末装置１からのみ行うことができる
。
【０２３１】
次に、第一の端末装置１から映像表示装置３に電源コマンドを送ると、映像表示装置３
の電源が切れるが、第一の端末装置１からではなく第二の端末装置１から電源コマンドを
送ると、映像表示装置３は２画面表示となり、元の画面の操作は第一の端末装置１からの
み、追加された画面の操作は第二の端末装置１からのみ行うことができる。
【０２３２】
そして、緊急速報を受信すると映像表示装置３は１画面表示に戻り、その操作は全ての
端末装置１から行うことができるようになる。
【０２３３】
なお、緊急速報として緊急地震速報や津波警報を例としたが、緊急雷速報、緊急火災速
報、緊急台風速報、緊急大雨速報、緊急河川氾濫速報、緊急噴火速報等でもよい。
【０２３４】
以上の構成により本発明の第７の実施例では、第１の実施例と同様の効果を得ることが
できる。
【０２３５】
更に、緊急速報の受信時には、映像表示装置が２画面表示中であれば１画面表示に切り
換わり、全ての端末装置１から映像表示装置３の操作が可能になる。
【０２３６】
なお、上記した実施例では２つの端末装置１から映像表示装置３にコマンドを送り、２
つに分割された画面のうち、各々の端末装置１に対応する画面を操作する例を示したが、
３つの端末装置１から３つに分割された画面を操作してもよく、端末装置１の分だけ画面
を分割してもよい。
【０２３７】
また、上記した実施例は本発明を分かりやすく説明するために詳細に説明したものであ
り、必ずしも説明した全ての構成を備えるものに限定されるものではない。また、ある実
施例の構成の一部を他の実施例の構成に置き換えることが可能であり、また、ある実施例
の構成に他の実施例の構成を加えることも可能である。また、各実施例の構成の一部につ
いて、他の構成の追加・削除・置換をすることが可能である。
【０２３８】
また、上記の各構成、機能、処理部、処理手段等は、それらの一部又は全部を、例えば
集積回路で設計する等によりハードウェアで実現してもよい。また、上記の各構成、機能
等は、プロセッサがそれぞれの機能を実現するプログラムを解釈し、実行することにより
ソフトウェアで実現してもよい。各機能を実現するプログラム、テーブル、ファイル等の
情報は、メモリや、ハードディスク、ＳＳＤ（Ｓｏｌｉｄ  Ｓｔａｔｅ  Ｄｒｉｖｅ）等
の記録装置、または、ＩＣカード、ＳＤカード等の記録媒体に置くことができる。
【０２３９】
また、制御線や情報線は説明上必要と考えられるものを示しており、製品上必ずしも全
ての制御線や情報線を示しているとは限らない。実際には殆ど全ての構成が相互に接続さ
れていると考えてもよい。
【符号の説明】
【０２４０】
１…端末装置、３…映像表示装置、４…基地局、５…放送局、６…無線ルータ、７…ネッ
トワーク、２１…無線通信部、２２…表示部、２３…操作部、２４…コマンド送信部、２
５…ステータス受信部、２６…記憶部、３０…制御部、３１…テレビ信号受信部、３２…
表示部、３３…音声出力部、３４…コマンド受信部、３５…ステータス送信部、３６…記
憶部、３７…ＬＡＮ送受信部
【図１】
2016167850.tif 000003
【図２】
2016167850.tif 000004
【図３】
2016167850.tif 000005
【図４】
2016167850.tif 000006
【図５（ａ）】
2016167850.tif 000007
【図５（ｂ）】
2016167850.tif 000008
【図５（ｃ）】
2016167850.tif 000009
【図５（ｄ）】
2016167850.tif 000010
【図６】
2016167850.tif 000011
【図７】
2016167850.tif 000012
【図８】
2016167850.tif 000013
【図９】
2016167850.tif 000014
【図１０】
2016167850.tif 000015
【図１１】
2016167850.tif 000016
【図１２】
2016167850.tif 000017
【図１３】
2016167850.tif 000018
【図１４】
2016167850.tif 000019
【手続補正書】
【提出日】平成28年4月22日(2016.4.22)
【手続補正２】
【補正対象書類名】明細書
【補正対象項目名】０００８
【補正方法】変更
【補正の内容】
【０００８】
本願は上記課題を解決する手段を複数含んでいるが、その一例を挙げるならば、第１の配信元から配信されたコンテンツを表示する第１表示領域と第２の配信元から配信されたコンテンツを表示する第２表示領域とを同時に表示可能な表示画面を有する放送受信装置における表示画面変更方法であって、前記放送受信装置の表示画面に前記第１表示領域と前記第２表示領域とが同時表示されているときに、無線手段を介して第１の端末から操作指示を受信すると前記第１表示領域の表示態様を変更する第１の処理と、前記放送受信装置の表示画面に前記第１表示領域と前記第２表示領域とが同時表示されているときに、無線手段を介して第２の端末から操作指示を受信すると前記第２表示領域の表示態様を変更する第２の処理と、を含む第１の表示画面変更ステップと、前記放送受信装置の表示画面に前記第１表示領域と前記第２表示領域とが同時表示されているときに、緊急速報を受信すると、前記第１表示領域と前記第２表示領域との同時表示を中止し、前記第１表示領域の表示コンテンツの１画面表示に切り替える第２の表示画面変更ステップと、前記第２の表示画面変更ステップの後に、前記第１の端末から受信した操作指示にもとづいて前記１画面表示に切り替わった後の表示画面の表示態様を変更する第３の画面変更ステップと、を含むことを特徴とする表示画面変更方法である。
【手続補正３】
【補正対象書類名】特許請求の範囲
【補正対象項目名】全文
【補正方法】変更
【補正の内容】
【特許請求の範囲】
【請求項１】
第１の配信元から配信されたコンテンツを表示する第１表示領域と第２の配信元から配信されたコンテンツを表示する第２表示領域とを同時に表示可能な表示画面を有する放送受信装置における表示画面変更方法であって、
前記放送受信装置の表示画面に前記第１表示領域と前記第２表示領域とが同時表示されているときに、無線手段を介して第１の端末から操作指示を受信すると前記第１表示領域の表示態様を変更する第１の処理と、前記放送受信装置の表示画面に前記第１表示領域と前記第２表示領域とが同時表示されているときに、無線手段を介して第２の端末から操作指示を受信すると前記第２表示領域の表示態様を変更する第２の処理と、を含む第１の表示画面変更ステップと、
前記放送受信装置の表示画面に前記第１表示領域と前記第２表示領域とが同時表示されているときに、緊急速報を受信すると、前記第１表示領域と前記第２表示領域との同時表示を中止し、前記第１表示領域の表示コンテンツの１画面表示に切り替える第２の表示画面変更ステップと、
前記第２の表示画面変更ステップの後に、前記第１の端末から受信した操作指示にもとづいて前記１画面表示に切り替わった後の表示画面の表示態様を変更する第３の画面変更ステップと、
を含むことを特徴とする表示画面変更方法。